(57)【特許請求の範囲】
【請求項１】
スピーカ用振動板に駆動力を伝達するボイスコイルボビンであって、
筒形状のボビン主部材と、
該ボビン主部材の外周の一部である第１領域に巻回されたボイスコイルと、
前記ボビン主部材の外周の前記第１領域とは異なる第２領域の表面側に形成された補強ボビン層と、
前記ボビン主部材と前記補強ボビン層との間に形成された中間層と、を備え、
前記中間層は、前記補強ボビン層及び前記ボビン主部材よりも密度の低い、アラミド系の有機材料からなる不織布により形成されていることを特徴とするボイスコイルボビン。
【請求項２】
前記ボビン主部材は、有機繊維、無機繊維、または金属材料を備えることを特徴とする請求項１に記載のボイスコイルボビン。
【請求項３】
前記補強ボビン層は、有機繊維、無機繊維、または金属材料を備えることを特徴とする請求項１に記載のボイスコイルボビン。
【請求項４】
前記ボイスコイルボビンの前記中間層を介して形成された補強ボビン層に、前記スピーカ用振動板の内周部が固定されていることを特徴とする請求項１に記載のボイスコイルボビン。
【請求項５】
前記ボビン主部材は、フェノール樹脂を含浸したガラス繊維を備え、
前記補強部材は、ポリイミド樹脂を含浸したガラス繊維を備えることを特徴とする請求項１に記載のボイスコイルボビン。
【請求項６】
前記ボビン主部材と、前記補強ボビン層と、前記中間層とは、それぞれ異なる材料で形成されていることを特徴とする請求項１に記載のボイスコイルボビン。
【請求項７】
前記ボビン主部材に巻回された前記ボイスコイルの外径は、前記ボビン主部材に形成された前記補強ボビン層の外径よりも大きいことを特徴とする請求項１に記載のボイスコイルボビン。
【請求項８】
前記ボビン主部材の外周は、前記第１領域及び前記第２領域とは異なる第３領域を有することを特徴とする請求項１に記載のボイスコイルボビン。
【請求項９】
前記第２領域の表面積は、前記第１領域の表面積よりも大きいことを特徴とする請求項１に記載のボイスコイルボビン。
【請求項１０】
磁気回路の磁気ギャップ間に、ボイスコイルボビンに巻回されたボイスコイルが配置され、当該ボイスコイルからの駆動力を受けてスピーカ用振動板に該駆動力を伝達するスピーカ装置であって、
前記ボイスコイルボビンは、
筒形状のボビン主部材と、
該ボビン主部材の外周の一部である第１領域に巻回されたボイスコイルと、
前記ボビン主部材の外周の前記第１領域とは異なる第２領域の表面側に形成された補強ボビン層と、
前記ボビン主部材と前記補強ボビン層との間に形成された中間層と、を備え、
前記中間層は、
前記補強ボビン層及び前記ボビン主部材よりも密度の低い、アラミド系の有機材料からなる不織布により形成されていることを特徴とするスピーカ装置。
【発明の詳細な説明】
【技術分野】
【０００１】
本発明は、ボイスコイルボビン、およびスピーカ装置に関するものである。
【背景技術】
【０００２】
電気音響変換装置として、マイクロフォン装置やスピーカ装置が知られている。例えば電気信号を音響信号に変換するためのスピーカ装置としては、一般的にコーン状振動板を備えたスピーカ装置が知られている（例えば特許文献１参照）。
【０００３】
このスピーカ装置は、環状のスピーカフレームの下端部に、プレート、磁石、およびヨークからなる環状磁気回路を有し、この環状磁気回路のヨーク及びプレート間の磁気間隙には高密度の磁束が形成され、筒状のボイスコイルボビンに巻回されたボイスコイルが軸方向に沿って振動自在に設けられている。このボイスコイルボビンの前面側端部はコーン状振動板の中央開口部に固定され、コーン状振動板の外周縁部はエッジを介してスピーカ用フレームに固定されている。
【０００４】
上記スピーカ装置では、ボイスコイルボビンが、音声信号によってボイスコイルに発生した駆動力をコーン状振動板に忠実に伝達する機能が要求される。そのために能率向上のために軽量であること、振動に伴う変形を防止するために高い比弾性率を備えること、不要な振動を低減するために高内部損失性であること等が要求される。これらの要求を満たす材料として、低密度で適度な剛性を備え、且つ安価であることから紙が多用されているが、その他にもアルミニウム、ジュラルミン等の金属箔、ポリイミド等の樹脂フィルムが使用されている。
【０００５】
【特許文献１】特開２００５−２７７５６１号公報
【発明の開示】
【発明が解決しようとする課題】
【０００６】
ところで大音量再生用のスピーカでは、比較的大きなレベルの駆動電流がボイスコイルに入力されて比較的大きな駆動力が発生するので、ボイスコイルボビンに、より高い剛性が要求され、また高域の不要な振動を低減するためにより高い内部損失性が要求されている。しかし上述した条件は、ボイスコイルボビンを単一材料により形成する場合に、当該ボイスコイルボビンの材料に対し、相矛盾した物理特性を同時に強いる場合があり、これらの条件を高度に満たすボイスコイルボビンを形成することが技術的に困難である。
【０００７】
本発明は、このような問題に対処することを課題の一例とするものである。すなわち、簡単な構造で高剛性を備え、且つ高内部損失性を備えるボイスコイルボビンを提供すること、高音質の音を再生するスピーカ装置を提供すること、等が本発明の目的である。
【課題を解決するための手段】
【０００８】
このような目的を達成するために、本発明は、以下の各独立請求項に係る構成を少なくとも具備するものである。
【０００９】
請求項１に記載の発明は、スピーカ用振動板に駆動力を伝達するボイスコイルボビンであって、筒形状のボビン主部材と、該ボビン主部材の外周の一部である第１領域に巻回されたボイスコイルと、前記ボビン主部材の外周の前記第１領域とは異なる第２領域の表面側に形成された補強ボビン層と、前記ボビン主部材と前記補強ボビン層との間に形成された中間層と、を備え、前記中間層は、前記補強ボビン層及び前記ボビン主部材よりも密度の低い、アラミド系の有機材料からなる不織布により形成されていることを特徴とする。
【００１０】
請求項１０に記載の発明は、磁気回路の磁気ギャップ間に、ボイスコイルボビンに巻回されたボイスコイルが配置され、当該ボイスコイルからの駆動力を受けてスピーカ用振動板に該駆動力を伝達するスピーカ装置であって、前記ボイスコイルボビンは、筒形状のボビン主部材と、該ボビン主部材の外周の一部である第１領域に巻回されたボイスコイルと、前記ボビン主部材の外周の前記第１領域とは異なる第２領域の表面側に形成された補強ボビン層と、前記ボビン主部材と前記補強ボビン層との間に形成された中間層と、を備え、前記中間層は、前記補強ボビン層及び前記ボビン主部材よりも密度の低い、アラミド系の有機材料からなる不織布により形成されていることを特徴とする。
【発明を実施するための最良の形態】
【００１１】
本発明の一実施形態に係るスピーカ装置は、周囲に巻回されたボイスコイルからの駆動力を受けて、スピーカ用振動板に該駆動力を伝達するボイスコイルボビンを有する。ボイスコイルは、磁気回路の磁気ギャップ間に配置されている。またスピーカ用振動板の外周端部は例えばスピーカフレームに支持されている。このボイスコイルボビンは、ボビン主部材の表面側に補強ボビン層を備え、その補強ボビン層とボビン主部材との間に、補強ボビン層及びボビン主部材より密度の低い部材で中間層が形成されている。
【００１２】
この中間層は、有機材料からなる不織布を備えることが好ましい。またこの中間層は、ボビン主部材および補強ボビン層より、比弾性率が小さい材料からなることが好ましい。またこの中間層は、ボビン主部材および補強ボビン層より、内部損失が小さい材料からなることが好ましい。好ましくは、この中間層は、アラミド系有機材料からなる不織布を備える。
【００１３】
上記構成のスピーカ装置では、ボビン主部材と中間層と補強ボビン層とからなる３層構造のボイスコイルボビンを有し、その中間層が補強ボビン層及びボビン主部材より密度の低い部材、例えば有機材料からなる不織布を備えるので、構造強度により、高剛性且つ高内部損失性のボイスコイルボビンを得ることができる。また、高音質の再生音を発生するスピーカ装置を提供することができる。
【００１４】
以下、図面を参照しながら本発明に係るボイスコイルボビン、およびそのボイスコイルボビンを備えるスピーカ装置の一実施形態を説明する。
【００１５】
図１は本発明の一実施形態に係るスピーカ装置を説明するための断面図である。図２は図１に示したスピーカ装置の正面図である。図３は図１に示したスピーカ装置のボイスコイルを説明するための斜視図である。
【００１６】
本実施形態に係るスピーカ装置１は、ヨーク１１、磁石１２、プレート１３を備える磁気回路１４を有する。詳細には磁気回路１４は、図１に示すように、中央部に形成されたヨーク１１と、そのヨーク１１の外側に配置されたリング状の磁石１２と、その磁石１２上に形成されたリング状のプレート１３とを有し、ヨーク１１の外周と、リング状の磁石の内周との間に磁気ギャップ１５が形成されている。この磁石１２は永久磁石であってもよいし電磁石でもよい。
【００１７】
この磁気ギャップ１５には、ボイスコイルボビン１６に巻回されたボイスコイル１７が軸方向に振動自在に設けられ、ボイスコイルボビン１６の上端部近傍には、略円錐形状に形成されたスピーカ用振動板（振動板）１８の中央開口孔部に取り付けられている。このボイスコイルボビン１６の端部又は振動板１８の中央部前面側には、キャップ１９が設けられている。ボイスコイルボビン１６には、一つ又は複数個の孔部１６Ａが形成されている。この孔部１６Ａは、キャップ１９およびボイスコイルボビン１６内の圧力を制御し、ボイスコイルボビン１６をスムーズに移動させる機能を有する。
【００１８】
磁気回路１４の背面側および側面側には、フレーム２０が設けられている。このフレーム２０は、磁気回路１４の側面部近傍から、前面側に向かって放射状に広がるように形成されが複数本のアーム部２１を有する。このアーム部２１の途中にはスピーカ端子部２２が、取り付けられている。スピーカ端子部２２には図３に示すように、ボイスコイル１７が錦糸線（リード線）２３を介して電気的に接続されている。またアーム部２１の途中位置には、環形状のダンパホルダ（支持ホルダ）２５が形成されている。このダンパホルダ２５とボイスコイルボビン１６の間にはダンパ２４が形成され、ボイスコイルボビン１６が磁気ギャップ１５に正確に位置するように支持している。このダンパ２４は、ボイスコイルボビン１６の軸方向に沿った振動に柔軟に追従できるのうに伸縮性を有する。またフレーム２０のアーム部２１の先端部２１ａには、コーン状の振動板１８の外周端部がエッジ１８ａを介して振動自在に支持されている。またダンパホルダ２５は固定部材（ボルト）２５２等によりプレート１３に固定されている。またダンパホルダ２５とフレーム２０は、ダンパホルダ２５およびフレーム２０の一方又は両方に形成された凸部２５１を介して接触している。この凸部２５１は略等間隔に３個以上設けることが好ましい。この凸部２５２を介した連結構造によりダンパ２４とフレーム２０とが中音域で逆位相で相対運動することにより不要共振を減衰することができる。
【００１９】
上記構成のスピーカ装置１では、スピーカ端子部２２から錦糸線２３を介してボイスコイル１７に信号電流が入力すると、ボイスコイル１７に磁力が生じて、磁気回路１０との作用により、ボイスコイルボビン１６が軸方向に振動する。これにより振動板１８が前後に振動して、気体や液体等の粗密波としての音を発生する。
【００２０】
次にボイスコイルボビン１６およびボイスコイル１７を詳細に説明する。図４は、図３に示したボイスコイルボビンの多層構造を説明するための部分切断図である。図５（ａ）は、図３に示したボイスコイルボビンの断面図である。図５（ｂ）はボイスコイルボビンの多層構造を説明するための断面図である。
【００２１】
ボイスコイルボビン１６は、略円筒形状や略楕円筒形状等の円筒形状に形成されている。本実施形態に係るボイスコイルボビン１６は、図３〜図５に示すように、ホビン主部材（メインボビン部）１６１、中間層（中間ボビン部）１６２、補強ボビン層（補強ボビン部）１６３を有する。ボイスコイルボビン１６は、メインボビン部１６１の表面側に補強ボビン部１６３を備え、その補強ボビン部１６３とメインボビン部１６１との間に、不織布を含む中間ボビン部１６２が形成されている。
【００２２】
メインボビン部１６１は、形成材料としては、有機繊維、無機繊維、または金属材料を採用することができる。具体的にはメインボビン部１６１の形成材料としては、例えばフェノール樹脂含浸ガラス繊維、ポリイミド樹脂含浸ガラス繊維等の樹脂材料を含浸した繊維や、アルミニウム、ジュラルミン等の金属箔、ポイリミド等の樹脂フィルム等を採用することができる。
【００２３】
補強ボビン部１６３は、形成材料としては、有機繊維、無機繊維、または金属材料を採用することができる。具体的には補強ボビン部１６３の形成材料としては、例えばフェノール樹脂含浸ガラス繊維、ポリイミド樹脂含浸ガラス繊維等の樹脂材料を含浸した繊維や、アルミニウム、ジュラルミン等の金属箔、ポイリミド等の樹脂フィルム等を採用することができる。
【００２４】
中間ボビン部１６２は、補強ボビン部１６３及びメインボビン部１６１より密度の低い部材で形成されている。好ましくは、メインボビン部１６１及び補強ボビン部１６３のいずれか一方又は両方より、比弾性率が小さい材料により形成することが好ましい。また、中間ボビン部１６２は、メインボビン部１６１及び補強ボビン部１６３のいずれか一方又は両方より、内部損失が大きい材料により形成することが好ましい。本実施形態に係る中間ボビン部１６２は、例えばアラミド系有機材料などの有機材料からなる不織布を採用する。アラミドはいわゆる芳香性ポリアミドであり、強靱で弾力性の高い有機繊維である。また中間ボビン部１６２としては無機材料からなる不織布を採用してもよい。
【００２５】
本実施形態に係るボイスコイルボビン１６は、例えば図５に示すように、メインボビン部１６１、中間ボビン部１６２、補強ボビン部１６３を含む３層構造を有し、下側端部に形成された被巻回部１６ａに、ボイスコイルボビン１６が巻回されてる。本実施形態に係るボイスコイルボビン１６は、例えば図５に示すように、下側端部の被巻回部１６ａは、メインボビン部１６１のみの１層構造に形成され、そのメインボビン部１６１にボイスコイルボビン１６が巻回されている。
【００２６】
図６は、図１に示したスピーカ装置１のボイスコイルボビン付近を拡大した断面図である。本実施形態では、ボイスコイルボビン１６の中間ボビン部１６２を介して形成された補強ボビン部１６３に、振動板１８の内周部が例えば接着剤２６により固定されている。また補強ボビン部１６３に、ダンパ２４の内周部が接着剤２６により固定されている。
【００２７】
上記構成のボイスコイルボビン１６は、ホビン主部材（メインボビン部）１６１、中間層（中間ボビン部）１６２、補強ボビン層（補強ボビン部）１６３を有し、メインボビン部１６１の表面側に補強ボビン部１６３を備え、その補強ボビン部１６３とメインボビン部１６１との間に、補強ボビン部１６３及びメインボビン部１６１より密度の低い部材、例えば有機材料からなる不織布により中間ボビン部１６２が形成されているので、構造強度により高剛性且つ高内部損失性を備える。
【００２８】
上記構成のボイスコイルボビン１６は、例えば先ずフェノール樹脂含浸ガラス繊維などの形成材料により筒形状のメインボビン部１６１を形成し、次にアラミド不織布などの形成材料からなる中間ボビン部１６２を介して、ポリイミド樹脂含浸ガラス繊維などの形成材料からなる補強ボビン部１６３を積層して、金型などにより加熱加圧成形することで一体成形する。
【００２９】
上記構成のスピーカ装置１では、スピーカ端子部２２から錦糸線２３を介してボイスコイル１７に信号電流が入力すると、ボイスコイル１７に磁力が生じて、磁気回路１０との作用により、ボイスコイルボビン１６が軸方向に駆動力を発生する。この駆動力はボイスコイルボビン１６が固定されたメインボビン部１６１から、中間ボビン部１６２および補強ボビン部１６３を介して振動板１８に伝達され、振動板１８がその駆動力により振動する。このため駆動力が中間ボビン部１６２を介して伝達されるので、不要な振動を低減することができる。
【００３０】
［比較］
本願発明者は、本発明の一実施形態に係るボイスコイルボビン１６の性能を確認するために、本発明の一実施形態に係るメインボビン部１６１、中間ボビン部１６２、補強ボビン部１６３からなる３層構造を有するボイスコイルボビン１６と、比較対象のボイスコイルボビンについて、内部損失および比弾性率等の音響物性について測定して比較した。
【００３１】
【表１】
0004790452.tif 000002
【００３２】
測定には比較対象として、フェノール樹脂含浸ガラス繊維（Ａ）、ポリイミド樹脂含浸ガラス繊維（Ｂ）、アラミド不織布（Ｃ）のいずれか、またはそれらの材料を組み合わせた構成のボイスコイルボビンを作製して、それぞれについて各種物性を測定し、表１に示すような結果を得た。また表１に示した結果を図７（ａ），（ｂ）に示す。図７（ａ），（ｂ）において、横軸は内部損失の大きさを示し、縦軸は比弾性率（Ｅ／ρ）［ｍ2 ／ｓ2 ］を示す。
【００３３】
比較例１に係るボイスコイルは、フェノール樹脂含浸ガラス繊維（Ａ）からなる図８（ａ）に示す１層構造のボイスコイルボビンである。比較例２に係るボイスコイルは、ポリイミド樹脂含浸ガラス繊維（Ｂ）からなる図８（ａ）に示す１層構造のボイスコイルボビンである。比較例３に係るボイスコイルは、アラミド不織布（Ｃ）からなる図８（ａ）に示す１層構造のボイスコイルボビンである。
【００３４】
本発明に係るボイスコイルボビン１６としては、メインボビン部１６１にフェノール樹脂含浸ガラス繊維（Ａ）を採用し、中間ボビン部１６２にアラミド不織布（Ｃ）を採用し、補強ボビン部１６３にポリイミド樹脂含浸ガラス繊維（Ｂ）を採用した図８（ｃ）に示す３層構造のボイスコイルボビンである。
【００３５】
比較例４に係るボイスコイルボビンとしては、メインボビン部１６１にフェノール樹脂含浸ガラス繊維（Ａ）を採用し、中間ボビン部１６２にポリイミド樹脂含浸ガラス繊維（Ｂ）を採用し、補強ボビン部１６３にアラミド不織布（Ｃ）を採用した図８（ｃ）に示す３層構造のボイスコイルボビンである。
【００３６】
比較例５に係るボイスコイルボビンとしては、メインボビン部１６１にフェノール樹脂含浸ガラス繊維（Ａ）を採用し、補強ボビン部１６３にポリイミド樹脂含浸ガラス繊維（Ｂ）を採用した図８（ｂ）に示す２層構造のボイスコイルボビンである。
【００３７】
比較例６に係るボイスコイルボビンとしては、メインボビン部１６１にフェノール樹脂含浸ガラス繊維（Ａ）を採用し、その外周部にアラミド不織布（Ｃ）を採用した図８（ｂ）に示す２層構造のボイスコイルボビンである。
【００３８】
比較例７に係るボイスコイルボビンとしては、メインボビン部１６１にポリイミド樹脂含浸ガラス繊維（Ｂ）を採用し、補強ボビン部１６３にフェノール樹脂含浸ガラス繊維（Ａ）を採用した図８（ｂ）に示す２層構造のボイスコイルボビンである。
【００３９】
本発明に係るボイスコイルボビン１６では、中間ボビン部１６２に、メインボビン部１６１のフェノール樹脂含浸ガラス繊維（Ａ）や、補強ボビン部１６３のポリイミド樹脂含浸ガラス繊維（Ｂ）よりも、内部損失が約１０倍程度大きく、比弾性率が約４〜５倍程度小さいアラミド不織布（Ｃ）を採用した３層構造を有するので、比較例１〜比較例２に示したフェノール樹脂含浸ガラス繊維（Ａ）、ポリイミド樹脂含浸ガラス繊維（Ｂ）の単一材料で構成されたボイスコイルと比較して、内部損失が高く、且つ比弾性率が高いという測定結果を得た。
【００４０】
また本発明に係るボイスコイルボビン１６は、比較例５〜比較例７に示した２層構造のボイスコイルと比べて、内部損失が高く、且つ比弾性率が高いという測定結果を得た。
【００４１】
また本発明に係るボイスコイルボビン１６は、比較例４に示した３層構造のボイスコイルと比べて、内部損失が高く、且つ比弾性率が高いという測定結果を得た。
【００４２】
つまり一般的に図７（ａ），（ｂ）に示すグラフでは右上領域が、ボイスコイルボビンの物性として、高比弾性率と高内部損失性を兼ね備えた部材であるといえるが、本発明に係るボイスコイルボビン１６は、フェノール樹脂含浸ガラス繊維（Ａ）からなるメインボビン部１６１と、アラミド系有機樹脂材料からなる不織布を備える中間ボビン部１６２と、ポリイミド樹脂含浸ガラス繊維（Ｂ）からなる補強ボビン部１６３による３層構造を採用することで、単一材料やその組み合わせの２層構造よりも、高性能な物性を実現している。
【００４３】
なお、本発明は上述した実施形態に限られるものではない。例えば、上述した本発明に係る実施形態を組み合わせてもよい。また本発明に係るドーム型振動板を、マイクロフォン装置などの電気音響変換装置に適用してもよい。
【００４４】
また、上述した実施形態では磁気回路は、内磁型磁気回路を採用したが、この形態に限られるものではない。例えば磁気回路として、外磁型磁気回路を採用してもよい。
【００４５】
また上述した実施形態に係る振動板１８は、カーブドコーン形状、フラットコーン、パラボリックコーン、楕円形状コーン、円形状コーン、等の各種形状の振動板を採用してもよい。また上述した実施形態に係る振動板１８は、表面側に断面波形のコルゲージョンを備えたがこの形態に限られるものではない。
【００４６】
以上説明したように、本発明に係るボイスコイルボビン１６は、周囲に巻回されたボイスコイルからの駆動力を受けてスピーカ用振動板に該駆動力を伝達するボイスコイルボビンであって、メインボビン部（ボビン主部材）１６１の表面側に補強ボビン部（補強ボビン層）１６３を備え、補強ボビン部（補強ボビン層）１６３とメインボビン部（ボビン主部材）１６１との間に、例えば補強ボビン部（補強ボビン層）１６３及びメインボビン部（ボビン主部材）１６１より密度の低い部材で中間ボビン部（中間層）１６２を形成したので、簡単な構造で高剛性を備え、且つ高内部損失性を備えるボイスコイルボビンが得られる。
【００４７】
例えば、この中間ボビン部（中間層）１６２を、有機材料からなる不織布により形成することで、簡単な構造で高剛性を備え、且つ高内部損失性を備えるボイスコイルボビンを作製することができる。
【００４８】
また、磁気回路１４の磁気ギャップ１５間に、ボイスコイルボビン１６に巻回されたボイスコイル１７が配置され、当該ボイスコイル１７からの駆動力を受けてスピーカ用振動板１８に該駆動力を伝達するスピーカ装置において、上記構成のボイスコイルボビン１６を採用することで、高音質の音を再生することができる。
【図面の簡単な説明】
【００４９】
【図１】本発明の一実施形態に係るスピーカ装置を説明するための断面図である。
【図２】図１に示したスピーカ装置の正面図である。
【図３】図１に示したスピーカ装置のボイスコイルを説明するための斜視図である。
【図４】図３に示したボイスコイルボビンの多層構造を説明するための部分切断図である。
【図５】（ａ）は図３に示したボイスコイルボビンの断面図である。（ｂ）はボイスコイルボビンの多層構造を説明するための断面図である。
【図６】図１に示したスピーカ装置１のボイスコイルボビン付近を拡大した断面図である。
【図７】本発明の一実施形態に係るボイスコイルボビンと比較対象のボイスコイルボビンの物性、特に内部損失と比弾性率との関係を示す図であり、図７（ａ）は１００Ｈｚの音声信号を再生する際の物性値であり、図７（ｂ）は１０００Ｈｚの物性値を示す図である。
【図８】（ａ）は単層構造のボイスコイルボビン、（ｂ）は２層構造のボイスコイルボビン、（ｃ）は３層構造のボイスコイルボビンを示す断面拡大図である。
【符号の説明】
【００５０】
１  スピーカ装置（スピーカ）
１１  ヨーク
１２  磁石
１３  プレート
１４  磁気回路
１５  磁気ギャップ
１６  ボイスコイルボビン
１７  ボイスコイル
１８  振動板（コーン状振動板）
１９  キャップ
２０  フレーム（スピーカフレーム）
２１  アーム部
２２  スピーカ端子部
２３  錦糸線（リード線）
２４  ダンパ
２５  ダンパフォルダ（支持フォルダ）
２６  接着剤
【図１】
0004790452.tif 000003
【図２】
0004790452.tif 000004
【図３】
0004790452.tif 000005
【図４】
0004790452.tif 000006
【図５】
0004790452.tif 000007
【図６】
0004790452.tif 000008
【図７】
0004790452.tif 000009
【図８】
0004790452.tif 000010